(57)【要約】【課題】デジタル放送の有無を確認する時に、アナログ放送受信を安定させながら、デジタル放送も受信しやすくするとともに、少ない回路規模で実施できる受信装置を提供する。【解決手段】  デジタル方式およびアナログ方式が同時放送されるサイマル放送を受信する受信装置１００であって、入力された電波を減衰させるＲＦＡＧＣ部３と、ＲＦＡＧＣ部３の利得を制御するマイコン部１５と、マイコン部１５を制御する制御電圧を記憶する記憶部１８と、アナログ用狭帯域ＩＦフィルタ部７と、デジタル用広帯域ＩＦフィルタ部８と、デジタルラジオ復調部１３と、アナログラジオ復調部１２とを備え、マイコン部１５は、アナログ信号が出力されている時に、定期的にアナログ用狭帯域ＩＦフィルタ部７をデジタル用広帯域ＩＦフィルタ部８に切り替えると同時に、切り替え時用に予め設定された設定制御電圧を記憶部１８から読み出す。【選択図】図１
2013175844.tif 000002
【特許請求の範囲】
【請求項１】
アナログの側帯波がデータであるデジタル方式およびアナログ方式が同時放送されるサイマル放送を、アンテナを介して受信する受信装置であって、
自受信装置に入力された電波を減衰させる自動利得制御部と、
前記自動利得制御部の利得を制御する制御部と、
前記制御部を制御する制御電圧を記憶する記憶部と、
アナログ用狭帯域ＩＦフィルタと、
デジタル用広帯域ＩＦフィルタと、
前記デジタル方式によって送信された放送信号を復調するデジタル復調部と、
前記アナログ方式によって送信された放送信号を復調するアナログ復調部とを備え、
前記制御部は、前記アナログ復調部にて復調された信号が自受信装置から出力されている時に、定期的にアナログ用狭帯域ＩＦフィルタを前記デジタル用広帯域ＩＦフィルタに切り替えると同時に、切り替え時用に予め設定された設定制御電圧を前記記憶部から読み出すことを特徴とする受信装置。
【請求項２】
前記記憶部は、前記設定制御電圧および入力された電波の電界強度に応じた制御電圧を記憶しており、
前記制御部は、前記アナログ用狭帯域ＩＦフィルタから前記デジタル用広帯域ＩＦフィルタへの定期的な切り替え時には前記設定制御電圧を、それ以外の時には入力された電波の電界強度に応じた前記制御電圧を、それぞれ前記記憶部から読み出し、前記自動制御利得部に印加して制御することを特徴とする請求項１に記載の受信装置。
【請求項３】
前記制御部は、前記定期的な切り替え時に隣接強入力が受信された場合、前記設定制御電圧を前記自動制御利得部に印加して、前記隣接強入力の電界強度に応じた制御電圧を印加したときよりも、前記自動利得制御部による減衰量を小さくすることを特徴とする請求項２に記載の受信装置。
【請求項４】
前記設定制御電圧が、前記アナログ用狭帯域ＩＦフィルタの特性に基づいて設定されたものであることを特徴とする請求項３に記載の受信装置。
【請求項５】
前記デジタル用広帯域ＩＦフィルタに切り替えた時に自受信装置に入力された強入力電波による隣接ノイズを除去するアナログＩＦ処理部をさらに備えていることを特徴とする請求項４に記載の受信装置。
【請求項６】
アナログの側帯波がデータであるデジタル方式およびアナログ方式が同時放送されるサイマル放送を、アンテナを介して受信装置により受信する受信方法であって、
前記受信装置が、アナログ復調された信号が自受信装置から出力されている時に、定期的にアナログ用狭帯域ＩＦフィルタをデジタル用広帯域ＩＦフィルタに切り替えるフィルタ切り替えステップと、
前記受信装置が、前記フィルタ切り替えステップと同時に、切り替え時用に予め設定された設定制御電圧を読み出す設定制御電圧読み出しステップとを備えていることを特徴とする受信方法。
【請求項７】
受信装置が、前記切り替えステップにおいて隣接強入力を受信したか否かを判断する隣接強入力判断ステップと、
受信装置が、前記隣接強入力判断ステップにおいて隣接強入力を受信した場合に、前記設定制御電圧読み出しステップにおいて読み出した前記設定制御電圧に基づいて前記サイマル放送の受信を制御する受信制御ステップとを備えることを特徴とする請求項６に記載の受信方法。
【発明の詳細な説明】
【技術分野】
【０００１】
本発明は、デジタル方式とアナログ方式とで同時放送されるサイマル放送を受信する受信装置において、アナログラジオの側帯波を使用したデジタルラジオ放送及びアナログラジオ放送に係る音声信号を切り替えて出力する受信装置に関するものである。
【背景技術】
【０００２】
従来の受信装置に関して、アナログデジタルのＩＢＯＣ（Ｉｎ−Ｂａｎｄ Ｏｎ Ｃｈａｎｎｅｌ）方式の放送波の受信において、ＩＢＯＣ方式の放送波の受信状態に応じてＩＦフィルタに対して好適な選択特性を持たせるための構成が採用されている。例えば、デジタル信号検出／復調部により検出されたデジタル信号の状態に基づいて、通過帯域幅を可変するよう帯域フィルターを制御するとともに、信号伝達経路の切り替えを行うよう切替部を制御するものが知られている
【０００３】
また、アナログ受信信号専用の帯域フィルタと、アナログ受信信号専用の増幅器と、デジタル受信信号専用の帯域フィルタと、デジタル受信信号専用の増幅器とをそれぞれに別々に設けることによって、アナログ受信信号専用の増幅器の利得を自動的に制御する動作と、デジタル受信信号専用の増幅器の利得を自動的に制御する動作とをそれぞれ独立して実行するものが知られている(例えば特許文献１参照)。
【先行技術文献】
【特許文献】
【０００４】
【特許文献１】特開２００５−１５９５３５公報
【発明の概要】
【発明が解決しようとする課題】
【０００５】
しかしながら従来の受信装置では、アナログ放送受信時に、デジタル放送の有無を確認するため、ＩＦフィルタを広帯域に切り替えた瞬間に強電界の隣接局があった場合、自動制御利得（ＡＧＣ）回路により、アナログ放送の希望波受信に抑圧が大きくかかりアナログ受信レベルが下がるときがあった。また、特許文献１では、中間周波数自動制御利得（ＩＦＡＧＣ）回路を、デジタル用、アナログ用にそれぞれ用意し、常に同時に受信する構成としてその課題に対応している。しかし、中間周波数自動制御利得回路をデジタル用およびアナログ用にそれぞれ用意する為、回路規模が大きくなりコストアップにも繋がっていた。
【０００６】
本発明は、デジタル放送の有無を確認する時に、アナログ放送受信を安定させながら、デジタル放送も受信しやすくするとともに、少ない回路規模で実施できる受信装置を提供することを目的とする。
【課題を解決するための手段】
【０００７】
上記目的を達成するため本発明の受信装置は、アナログの側帯波がデータであるデジタル方式およびアナログ方式が同時放送されるサイマル放送を、アンテナを介して受信する受信装置であって、自受信装置に入力された電波を減衰させる自動利得制御部と、前記自動利得制御部の利得を制御する制御部と、前記制御部を制御する制御電圧を記憶する記憶部と、アナログ用狭帯域ＩＦフィルタと、デジタル用広帯域ＩＦフィルタと、前記デジタル方式によって送信された放送信号を復調するデジタル復調部と、前記アナログ方式によって送信された放送信号を復調するアナログ復調部とを備え、前記制御部は、前記アナログ復調部にて復調された信号が自受信装置から出力されている時に、定期的にアナログ用狭帯域ＩＦフィルタを前記デジタル用広帯域ＩＦフィルタに切り替えると同時に、切り替え時用に予め設定された設定制御電圧を前記記憶部から読み出す構成を有する。
【発明の効果】
【０００８】
本発明によれば、アナログ受信中にデジタル受信の有無を確認する際に、隣接強入力による妨害があったとしても、安定したアナログ受信を実現するとともに、デジタル受信への切替わりを良好にすることができる。また、アナログ受信やデジタル受信への切替わりが良好な受信装置を小規模な回路構成で実現することが可能となる。
【図面の簡単な説明】
【０００９】
【図１】本発明の実施の形態における受信装置のブロック図
【図２】受信装置の動作説明図
【図３】受信装置の抑圧を示すグラフ
【図４】本発明の実施の形態における受信装置の自動利得制御処理のフローチャート
【発明を実施するための形態】
【００１０】
以下、本発明の実施の形態における受信装置について、図面を参照しながら説明する。本実施の形態では、自動車などの車両に搭載される受信装置を例として以下に説明する。
【００１１】
図１は、本実施形態における受信装置のブロック図である。図１に示すとおり、受信装置１００は、車両のボディや窓ガラスなどに固定されたアンテナ１に対して電気的に接続可能な構成であるとともに、アンテナ１から受信した電波（放送波あるいは放送信号）に対して所望の信号処理を行って、放送信号を音声信号として出力する。
【００１２】
受信装装置１００から出力された音声信号は、受信装置１００に接続可能に設けられたスピーカー１９によって音声として使用者に放音される。使用者はスピーカー１９によって放出された音波を音として認識する。ただし、受信装置１００とスピーカー１９との間に、音声信号を増幅する増幅器が設けられる場合もある。
【００１３】
受信装置１００は、放送信号に対して所望の信号処理を行なうラジオ受信部２と、ラジオ受信部２が出力するアナログラジオ信号とデジタルラジオ信号とを切り替えて出力するためのスイッチ部１４と、ラジオ受信部２が行う信号処理を統括的に制御する制御部としてのマイコン部１５を備えている。
【００１４】
ラジオ受信部２は、自動利得制御部としてのＲＦＡＧＣ部３、ローノイズアンプ部としてのＬＮＡ部４、ミキサ部５、ＩＦ（Ｉｎｔｅｒｍｅｄｉａｔｅ  Ｆｒｅｑｕｅｎｃｙ、中間周波数）フィルタを切り替えるスイッチ部６、アナログ用狭帯域ＩＦフィルタ部７、デジタル用広帯域ＩＦフィルタ部８、ＩＦアンプ部９、強電界入力検出部１０、アナログＩＦ処理部１１、アナログラジオ復調部１２、およびデジタルラジオ復調部１３を備える。
【００１５】
ＲＦＡＧＣ部３は、アンテナ１に接続されており、アンテナ１を介して受信した放送信号を減衰させる。
ＲＦＡＧＣ部３は、より具体的にはピンダイオードを利用して放送信号を減衰させる回路、あるいは、利得可変の増幅器（あるいは増幅素子）を利用して利得を下げて放送信号を減衰させる回路により構成することができる。
【００１６】
ＬＮＡ部４は、ＲＦＡＧＣ部３から入力された信号（減衰された放送信号）を後段で処理するために十分な大きさの信号になるよう増幅する増幅器である。
ミキサ部５は、ＬＮＡ４から入力された信号を、その周波数に関係なく一定の低い中間周波数に変換する、いわゆる局部発信と周波数変換とを行なうものである。
スイッチ部６は、デジタル、アナログへのフィルタ切り替えをＣＰＵ（Ｃｅｎｔｒａｌ  Ｐｒｏｃｅｓｓｉｎｇ  Ｕｎｉｔ、中央演算処理装置）１７からの制御によって行う。
【００１７】
アナログ用狭帯域ＩＦフィルタ７は、通常のアナログ放送受信時に、信号ラインが通る経路である。ＦＭラジオでは通常約２００ｋＨｚの帯域幅のフィルタなどが使用される。
デジタル用広帯域ＩＦフィルタ８は、アナログ放送の側帯波にあるデジタル放送の有無を確認する時と、デジタル放送受信時に信号ラインが通る経路である。ＩＢＯＣラジオでは通常約４００ｋＨｚの帯域幅のフィルタなどが使用される。
【００１８】
ＩＦアンプ部９は、ミキサ部５から入力された信号を復調可能なレベルまで増幅する機能を実行させる一般的な回路からなるものである。
強電界入力検出部１０は、いわゆるＳメータであって、受信装置１００に入力された放送波の電界強度を計測するものであり、計測した電界強度を示す情報を詳細後述するマイコン部１５へ出力する。
【００１９】
アナログＩＦ処理部１１は、アナログ放送受信中、自動可変の隣接ノイズ除去フィルタやノイズキャンセル処理により、放送信号に乗ったノイズを除去し、良好なアナログ受信をするための一般的な回路である。
【００２０】
アナログラジオ復調部１２は、アナログ方式によって送信された放送信号に対して必要な復調機能を備える一般的な回路で構成される。
デジタルラジオ復調部１３は、デジタル方式によって送信された放送信号に対して必要な復調機能を備える一般的な回路で構成される。また、デジタルラジオ復調部１３は、デジタルラジオの検出信号を検出した時にその情報をＣＰＵ１７へ出力する。
アナログラジオ復調部１２は、復調した放送信号をアナログ放送音声信号として音声出力し、デジタルラジオ復調部１３は、復調した放送信号をデジタル放送音声信号として音声出力する。
【００２１】
スイッチ部１４は、一般的なスイッチ回路であって、アナログラジオ復調部１２から出力されるアナログ放送音声信号の音声とデジタルラジオ復調部１３から出力されるデジタル放送音声信号の音声とを切り替えて後段のスピーカー１９へ出力するものである。
【００２２】
制御部としてのマイコン部１５は、演算処理などの情報処理を実行するＣＰＵ部１７、情報処理を実行させるためのプログラムや各設定値を記憶しておく記憶部１８、ＲＦＡＧＣ部３に制御電圧を出力するＤＡ部（デジタルアナログ変換部）１６などを備えて構成される。記憶部１８は、切り替え時用に予め設定された設定制御電圧および切替え時以外に用いられる入力された電波の電界強度に応じた制御電圧を記憶している。記憶部１８としては、予め記憶された情報の読み込みだけが可能な記録媒体であるＲＯＭ（Ｒｅａｄ  Ｏｎｌｙ  Ｍｅｍｏｒｙ）や、記憶された情報を後に書き換えることが可能なフラッシュメモリなどを用いることができる。
【００２３】
特に、本実施の形態において、マイコン部１５は、強電界入力検出部１０から入力された電界強度に基づいて、ＲＦＡＧＣ部３に対して利得制御を行なうための制御信号（利得制御信号）を出力する。
たとえば、ＲＦＡＧＣ部３にピンダイオードが利用される場合、マイコン部１５からの制御信号の信号レベルを上げることで受信装置１００に入力される放送信号を減衰させることができる。
あるいは、ＲＦＡＧＣ部３にＦＥＴ（Ｆｉｅｌｄ  ｅｆｆｅｃｔ  ｔｒａｎｓｉｓｔｏｒ、電界効果トランジスタ）が利用される場合、マイコン部１５からの制御信号をゲートに入力する構成とし、制御信号の信号レベルを下げることで受信装置１００に入力される放送信号を減衰させることができる。
【００２４】
以上のように構成された受信装置１００について、以下にその動作を説明する。
アンテナ１を介して受信装置１００に入力された電波はＲＦＡＧＣ部３を経由して後段に放送信号として出力される。
ＲＦＡＧＣ部３から出力された放送信号は、ＬＮＡ部４、ミキサ部５、スイッチ部６、アナログ用狭帯域ＩＦフィルタ部７、ＩＦアンプ部９、アナログＩＦ処理部１１にて所望の信号処理が行なわれて、アナログラジオ復調部１２に入力される。なお、アナログＩＦ処理部１１における信号処理には、公知のものを用いればよい。
【００２５】
アナログラジオ復調部１２から出力された放送信号としての音声信号がスイッチ部１４を介して出力されている状態において、スイッチ部６が切り替わる動作は、以下のとおりである。
まず、アナログ受信中に、ＣＰＵ部１７は、デジタル放送の有無を確認するために、あらかじめ設定された時間毎に定期的に、スイッチ部６をアナログ用狭帯域ＩＦフィルタ部７側からデジタル用広帯域ＩＦフィルタ部８側に切り替える（以下、適宜「定期的な切り替え」という。この時、受信した放送信号に基づく音声出力としては、アナログ復調されたものの出力を継続している。
【００２６】
デジタルラジオ復調部１３で、デジタル検出信号が検出された時、ＣＰＵ部１７でこの検出を認識し、スイッチ部１４をデジタル用広帯域ＩＦフィルタ部８側に切り替え、デジタル復調された音声をスピーカー１９から出力する。アナログ用狭帯域ＩＦフィルタ部７を広帯域のデジタル用広帯域ＩＦフィルタ部８に切り替える理由は、デジタルデータが、アナログ希望波の両側の側帯波にある為である。デジタル用広帯域ＩＦフィルタ部８は側帯波の周波数に合わせて、予め用意されたものを使用する。
【００２７】
さらに、アナログ受信中に、強電界入力の妨害電波が受信された場合は、強電界入力検出部１０が妨害電波を検出する。
ここで、強電界入力の妨害電波とは、ＲＦＡＧＣ部３の後段（放送信号の流れに沿ってアンテナ１とは反対側）に構成される各部の部品あるいは素子の許容入力レベルを大きく超えてしまい、結果的にノイズや混信が音声に影響して発生して聴取者に対して不快な音を発生してしまうような電波のことをいう。
【００２８】
入力された電波を妨害電波とみなすか否かは、回路構成などに応じて予め実験的あるいはシミュレーションや計算結果によって求められる閾値と入力される電波の受信レベル（電界強度）とを比較することで判定される。つまり、強電界入力の妨害電波とは、予め定められた電波の受信レベルである、予め設定された閾値を超える受信レベルの電波のことをいう。
すなわち、強電界入力検出部１０は、受信している電波の受信レベルを逐次モニタしており、その電界強度を示す信号をマイコン部１５へ出力している。
【００２９】
マイコン部１５は、強電界入力検出部１０から受信する信号に基づいて電界強度を判断し、電界強度が予め設定されている閾値以上の値になると、ＲＦＡＧＣ部３に対して制御信号を出力しＲＦＡＧＣ部３の利得制御を行なう。
ここで、予め設定されている閾値とは、ラジオ受信部２を構成する回路素子の特性が飽和しない程度の値として実験的に求められる値、あるいは回路構成を考慮して計算に基づいて設定される値である。
【００３０】
マイコン部１５は、定期的な切り替え以外の時においても、ＲＦＡＧＣ部３に対する利得制御を実行する。この時の利得制御においては、電界強度が予め設定されている閾値以上の値になったときに、マイコン部１５がＲＦＡＧＣ部３に対して制御信号を出力する。この際、マイコン部１５は、予め記憶部１８に記憶されている妨害電波の強さに応じた制御電圧をＣＰＵ１７から出力し、ＤＡ部１６で変換してＲＦＡＧＣ部３に印加する。
すると、ＲＦＡＧＣ部３では、上述したとおり入力された制御電圧に応じてアンテナ１を介して入力された電波を減衰させる。
これにより、アナログ受信の際にＬＮＡ部４やミキサ部５などにおける歪みや混信の発生、あるいはノイズが多くなるのを防ぐことができる。
【００３１】
しかしながら、定期的なデジタル放送の有無をチェックするために、アナログ用狭帯域ＩＦフィルタ部７からデジタル用広帯域ＩＦフィルタ部８に切り替えてＩＦフィルタを広帯域に設定した時に、フィルタの帯域内に強電界入力の妨害電波（以下、適宜「隣接強入力」という。）が存在することがある。このように定期的な切り替えにおいて、強電界入力の妨害電波が存在した場合、強入力検出部１０が、必要以上に、強入力と認識してしまう結果として、ＲＦＡＧＣ部３により、所望の信号（希望アナログ放送波の信号）までをも抑圧させてしまうことがあった。
【００３２】
そこで、本発明は、このデジタル放送有無のチェック時にのみ、予め記憶部１８に設定したデジタルチェック時専用の設定値をＣＰＵ１７が読み込み、ＤＡ部１６によって、ＲＦＡＧＣ部３に、定期的な切り替え以外の制御電圧とは異なる予め設定された設定制御電圧を設定するようにした。この設定制御電圧の設定値は、本来のアナログ用狭帯域ＩＦフィルタ部７によるフィルタ時のＡＧＣ抑圧特性に基づいて、当該特性と似た特性になるようにし、各素子の歪みや隣接ノイズの影響が問題とならない値を設定することが好ましい。
【００３３】
図２に基づいて、受信装置１００の動作説明をする。
図２（ａ）は、通常のアナログ受信時の受信周波数と受信装置が受信するレベルの関係を表した図である。受信レベルとは、図１の受信ブロック図の強電界入力検出部１０における受信レベルと考えてよい。
【００３４】
図２（ａ）のａ（１）は、アナログ用狭帯域ＩＦフィルタ７の周波数特性を表し、ａ（２）は、アナログ放送波の周波数特性を表し、ａ（３）は、デジタル放送のデータを含んだ側帯波の周波数特性を表し、ａ（４）は隣接する強入力の妨害波（隣接強入力）の周波数特性を表している。
ａ（１）に示すように、通常アナログ受信時には、アナログ用狭帯域ＩＦフィルタ部７を使用しているため、隣接強入力ａ（４）は、アナログ用狭帯域ＩＦフィルタを通過する周波数帯域の外側に存在している。したがって、強電界入力検出部１０（図１参照）は、アナログ放送波ａ（２）に隣接する強入力の妨害波である隣接強入力ａ（４）を検出しない。
【００３５】
しかし、アナログ放送波ａ（２）の側帯波ａ（３）にあるデジタル放送のデータの有無を確認するために、定期的に図２（ｂ）のｂ（１）に示すように、アナログ用狭帯域ＩＦフィルタ部７をデジタル用広帯域ＩＦフィルタ部８に切り替える必要がある。
【００３６】
図２（ｂ）は、デジタル放送の有無確認時における従来の受信装置の動作を説明する図である。図２（ｂ）のｂ（１）は、デジタル用広帯域ＩＦフィルタ部８の周波数特性を表し、ｂ（２）は、アナログ放送波の周波数特性を表し、ｂ（３）は、デジタル放送のデータを含んだ側帯波の周波数特性を表し、ｂ（４）はアナログ放送波ｂ（２）に隣接する強入力の妨害波である隣接強入力の周波数特性を表している。
従来、この定期的な切り替え時においても、それ以外の時と同様に、強電界入力検出部１０は、隣接の強入力電波である隣接妨害波（隣接強入力ｂ（４））を検出し、ＣＰＵ１７に信号を送り、ＤＡ部１６から、ＲＦＡＧＣ部３の制御電圧を印加していた。
【００３７】
図２（ｂ）では、隣接妨害波ｂ（４）の受信レベルＹｂが、アナログ放送波ｂ（２）の受信レベルＸｂよりも相当程度高い場合（Ｙｂ／Ｘｂが大きい場合）を例として示している。この時、ＲＦＡＧＣ部３に印加する電圧は、アナログ受信用に設定された制御電圧である。そして、図２（ｂ）に示すように、帯域幅が広がったときに受信した隣接妨害波ｂ（４）の受信レベルが大きい場合には、ＲＦＡＧＣ部３における抑圧がアナログ時よりも多くかかる。この結果として、希望波であるアナログ放送波ｂ（２）のレベルが相対的に下がってしまっていた。
しかし、隣接妨害波ｂ（４）による隣接ノイズは、アナログＩＦ処理部１１による処理によっても除去できる。このため、上述した従来の受信装置のように、ＲＦＡＧＣ部３において必要以上に抑圧する必要はない。
そこで、本実施形態の受信装置１００においては、マイコン部１５のＣＰＵ部１７が、定期的な切り替えと同時に、切り替え時用に予め設定された設定制御電圧を記憶部１８から読み出す。
【００３８】
図２（ｃ）は、デジタル放送の有無確認時における本実施形態の受信装置１００の動作を説明する図である。
図２（ｃ）のｃ（１）は、デジタル用広帯域ＩＦフィルタ部８の周波数特性を表し、ｃ（２）は、アナログ放送波の周波数特性を表し、ｃ（３）は、デジタル放送のデータを含んだ側帯波の周波数特性を表し、ｃ（４）はアナログ放送波ｃ（２）に隣接する強入力の妨害波である隣接強入力の周波数特性を表している。
上述した様にＣＰＵ部１７により記憶部１８から設定制御電圧（Ｙｃ）を読み出しておくことにより、定期的な切り替え時に隣接強入力が受信された場合、マイコン部１５は設定制御電圧（Ｙｃ）を用いて、ＲＦＡＧＣ部３を制御することができる。
このように制御することにより、従来のように、隣接妨害波ｂ（４）の電界強度に応じた制御電圧をＲＦＡＧＣ部３に印加したときの減衰量（Ｘｂ−Ｙｂ）よりも、減衰量（Ｘｃ−Ｙｃ）を小さくすることができる。
【００３９】
上述したＲＦＡＧＣ部３における抑圧について図３に示す。
図３（ａ）および図３（ｂ）は、抑圧の度合いを示すグラフの一例である。何れの図においても、横軸が隣接波の受信レベルを示し、縦軸は復調されスピーカー１９（図１参照）から出力される希望波の受信レベルを示している。
図３（ａ）は、デジタル放送のデータの有無を確認するときに、デジタル用広帯域ＩＦフィルタ部８を用い、隣接妨害波の電界強度に応じた制御電圧をＲＦＡＧＣ部３に印加する従来の受信装置による抑圧を示すグラフである。
図３（ｂ）のＣ、Ｄは、デジタル放送のデータの有無を確認する（定期的な切り替え）時にアナログ用狭帯域ＩＦフィルタ部７を用いた場合の抑圧を示すグラフである。同図のＥ、Ｆは、定期的な切り替え時用に予め設定された設定制御電圧に基づいて、ＲＦＡＧＣ部３の制御電圧を設定する本実施形態の構成を適用したものである。
【００４０】
以下に、図３（ａ）および図３（ｂ）に示した各グラフの詳細を説明する。
図３（ａ）のＡは、希望波の音声レベル相当の４００Ｈｚについての抑圧の度合いを示しており、一般的にＳ（Ｓｉｇｎａｌ、信号量）と呼ばれている。図３（ｂ）のＢは、希望波に音声変調をかけていないノイズレベルであり、一般的にＮ（Ｎｏｉｓｅ、雑音量）と呼ばれている。このＳとＮの差が大きい程ＳＮ比（ｓｉｇｎａｌ−ｔｏ−ｎｏｉｓｅ  ｒａｔｉｏ、信号対雑音比）が良く、ノイズが少ない。
図３（ａ）に示したように、隣接強入力の電界強度の強さが所定の大きさα（ｄＢｕ）となったところから、Ａで示した信号量Ｓのレベルが抑圧され落ち始める。ＳＮ比も悪くなっていく。
【００４１】
しかし、信号量Ｓの本来の目標設計値は、図３（ｂ）にＣ（破線）で示したアナログ用狭帯域ＩＦフィルタ部７を用いた場合における、隣接強入力の電界強度の強さがβ（ｄＢｕ）付近から落ち始めるカーブである。このカーブは、実際のフィールドでの受信状況や回路構成、実験検証から得られている値であり、この値が目標値となる。
【００４２】
本発明は、事前に検討し、このＣの曲線に対応した値に近くなるような設定制御電圧を予め記憶部１８に記憶しておき、デジタル放送有無チェック時（定期的な切替時）に、マイコン部１５がこの設定制御電圧を使用してＲＦＡＧＣ部３を制御するものである。この構成の効果として、図３（ｂ）のＥ（実線）のように、デジタル用広帯域ＩＦフィルタ部８に切り替わった場合も、信号量ＳのレベルがＣのカーブに近いカーブになる。すなわち、隣接強入力の電界強度がα以上である領域における、信号量Ｓのレベルの抑圧が抑制される。
【００４３】
図３（ｂ）のＤ（破線）は、希望波に音声変調をかけていないノイズレベルを示している。また、図３（ｂ）Ｆ（実線）は、デジタル放送有無チェック時（定期的な切替時）に、マイコン部１５がこの設定制御電圧を使用してＲＦＡＧＣ部３を制御した場合における希望波に音声変調をかけていないノイズレベルを示している。
【００４４】
つまり、図３（ｂ）に示すように、本実施の形態の受信装置１００によれば、デジタル放送有無チェック時に隣接強入力が存在しても、必要以上に希望波を抑圧せずに、安定したアナログ受信を維持できる。
また、信号量Ｓのレベルも強く、ＳＮ比も良いので、デジタルのデータ受信率も良好となる。この結果として、デジタル放送に切り替わりやすくなり、良好なデジタル音声受信エリアが広がる。
【００４５】
また、上述の状況における処理フローについて、図４を用いて説明する。
図４は、本実施の形態における受信装置１００のマイコン部１５が実行する処理フローを示すフローチャートである。
【００４６】
図４において、まず、アナログ放送受信中に、マイコン部１５は、予め設定された時間毎に、デジタル放送の有無をチェックする為に、アナログ用狭帯域ＩＦフィルタ部７をデジタル用広帯域ＩＦフィルタ部８に切り替える（ステップＳ１０１、フィルタ切り替えステップ）。予め設定された時間とは、デジタル放送の有無を確認するタイミングであり、任意に決定できる。予め設定された時間には、例えば、実運用上の実験等で決めた最適な時間などが含まれる。この時に、デジタル用に設定したＲＦＡＧＣ部３の設定制御電圧を記憶部１８からＣＰＵ１７が読み出しておく（ステップＳ１０２、設定制御電圧読み出しステップ）。
【００４７】
次に、隣接強入力の妨害波を受信したか否かの判定を行う（ステップＳ１０３、隣接強入力判定ステップ）。
マイコン部１５は、強電界入力検出部１０から受信する信号に基づいて電界強度を判断し、電界強度が予め設定されている閾値以上の値であるか否かにより、隣接強入力の妨害波を受信したか否かを判定する。ここで、予め設定されている閾値としては、上述したとおり、実験的に求められる値、あるいは回路構成を考慮して計算に基づいて設定される値を用いることができる。
【００４８】
隣接強入力による妨害があった場合、ＣＰＵ１７は、デジタル用の設定制御電圧の値に従って、ＤＡ部１６からＲＦＡＧＣ部３を制御する。アナログ同等に抑圧するのではなく、予め設定された設定制御電圧に従って、ＲＦＡＧＣ部３の抑圧の程度を緩めるなどの制御を行う（ステップＳ１０４、受信制御ステップ）。
【００４９】
ＣＰＵ部１７は、ステップＳ１０１における受信データ中にデジタルデータが有るか無いかにより、デジタル放送の有無をチェックする（ステップＳ１０５）。デジタル放送の有無は、デジタルラジオ復調部１３からのデジタル検出信号の有無に基づいて判断される。
【００５０】
ステップＳ１０５においてデジタル検出信号が検出された場合（Ｓ１０５のＹＥＳ）、デジタル放送有りと判断し、ＣＰＵ部１７がスイッチ部１４を制御してアナログラジオ復調部１２からデジタルラジオ復調部１３に切り替えることにより、デジタル受信に切替わる（ステップＳ１０７）。
ステップＳ１０５においてデジタル検出信号が無い場合（ステップＳ１０５のＮＯ）、ＲＦＡＧＣ３の設定を通常のアナログ受信時の設定に戻してアナログ受信を継続する（ステップＳ１０８）。すなわち、この場合、ＣＰＵ部１７は、ＲＦＡＧＣ部３の制御用の設定制御信号を定期的な切り替え時以外の制御信号に戻すと共に、スイッチ部６を制御しデジタル用広帯域ＩＦフィルタ部８からアナログ用狭帯域ＩＦフィルタ部７に戻す（Ｓ１０６）。
【００５１】
従来、アナログ放送の側帯波を使ったデジタル放送を受信できる受信機で、アナログ受信時に定期的にデジタル信号の有無を確認するために、ＩＦフィルタを広帯域にするが、隣接強入力妨害波がある場合に、フィルタの帯域を広げたことにより、妨害波検出が大きくなり、自動制御利得部（ＲＦＡＧＣ）によって必要以上に抑圧がかかり、アナログ受信レベルが抑圧され信号が弱くなる場合や、所望の信号入力レベルが下がり、デジタル放送の有無も認識しにくくなる場合があった。
【００５２】
そこで、以上説明したように本実施形態の受信装置および受信方法は、デジタル放送有無チェック時に、隣接強入力の妨害波を受信した際に、アンテナからの入力信号に対して行なわれるＲＦＡＧＣ制御をデジタルチェック時専用に持たせる構成としている。この構成により、デジタル放送の有無を確認するためにフィルタの帯域を広げる時に、ＲＦＡＧＣ回路の抑圧も一緒に緩めて、必要以上に、希望波の抑圧を起さないようにすることができる。
【００５３】
このため、アナログ信号の抑圧による音声の違和感がなくなり、ＲＦ信号も抑圧が少ない為、デジタルデータも受信しやすくなり、実質的にデジタルラジオの受信エリアを広げることもできる。
また、特にデジタル用、アナログ用それぞれにＡＧＣ回路を設けて、常に同時受信する必要は無い為、機器のコストダウンにも貢献できる。
【産業上の利用可能性】
【００５４】
本発明の受信装置は、アナログ受信中に、デジタルラジオの有無をチェックする時に、安定したアナログ受信状態を維持し、デジタル放送をより広いエリアで受信できるラジオ受信機として有用である。
【符号の説明】
【００５５】
１  アンテナ
２  ラジオ受信部
３  ＲＦＡＧＣ部
４  ＬＮＡ部
５  ミキサ部
６  スイッチ部
７  アナログ用狭帯域ＩＦフィルタ
８  デジタル用広帯域ＩＦフィルタ
９  ＩＦアンプ部
１０  強電界入力検出部
１１  アナログＩＦ処理部
１２  アナログラジオ復調部
１３  デジタルラジオ復調部
１４  スイッチ部  
１５  マイコン部
１６  ＤＡ部
１７  ＣＰＵ部
１８  記憶部
１９  スピーカー
１００  受信装置
【図１】
2013175844.tif 000003
【図２】
2013175844.tif 000004
【図３】
2013175844.tif 000005
【図４】
2013175844.tif 000006